(57)【特許請求の範囲】
【請求項１】
空調設備の空気排出口に設置した取付枠体内に複数枚のフィルターを横一列に固定するフィルター固定構造であって、
前記取付枠体は、フィルターを嵌入する奥行を有する扁平矩形中空外枠部と、フィルターの背面周縁部を支持する扁平矩形中空内枠部からなり、
前記外枠部の後面側左右両側には、最左側フィルターの左側端及び最右側フィルターの右側端を前記内枠部と協働して嵌合するための凹部がそれぞれ形成され、外枠部内の左右両側に固定されるフィルターを前記凹部内にそれぞれスライドさせることによりそれぞれ一端部で掛止し、
前記内枠部にはフィルター同士の隣接部背面を支持する縦長格子板が等間隔で縦長に設けられ、フィルターに向かって通風する開口を形成し、
前記外枠部の前上辺には、前記縦長格子板と協働してフィルター同士の隣接部前面を係止する可動押さえ板の上端がヒンジを介して連結され、該可動押さえ板の下部が前記外枠部の前下辺に脱着自在に係着されているか、あるいは、前記外枠部の前下辺には、前記縦長格子板と協働してフィルター同士の隣接部前面を係止する可動押さえ板の下端がヒンジを介して連結され、該可動押さえ板の上部が前記外枠部の前上辺に脱着自在に係着されている
ことを特徴とする、前記固定構造。
【請求項２】
天吊り型の空調設備であることを特徴とする請求項１記載の固定構造。
【請求項３】
３〜６枚のフィルターを横一列に固定することを特徴とする請求項１又は２記載の固定構造。
【請求項４】
パッチン錠により、可動押さえ板の下部が外枠部の前下辺に脱着自在に係着されている、あるいは、可動押さえ板の上部が外枠部の前上辺に脱着自在に係着されていることを特徴とする請求項１〜３のいずれか記載の固定構造。
【請求項５】
請求項１〜４のいずれか記載のフィルター固定構造を備え、扁平矩形箱状のフィルターハウジングを有する空調設備。
【請求項６】
扁平矩形箱状のフィルターハウジングが独立気泡断熱材を使用した断熱シートで覆われていることを特徴とする請求項５記載の空調設備。
【発明の詳細な説明】
【技術分野】
【０００１】
本発明は、天吊型ユニットクーラー等の空調設備（空調機）の空気排出口に設置する複数枚のフィルターを横一列に固定するフィルター固定構造（物）に関する。
【背景技術】
【０００２】
食品工場、製薬工場など清浄な環境が求められる工場などにおいては、空調機の空気排出口に複数枚のフィルターを設置して、このフィルターによって空気中の塵やほこりなどを取り除いて工場内にきれいな空気を送り込んでいる。また、一定の性能を保つためにフィルターは定期的に交換あるいは洗浄されている。
【０００３】
通常、工場などで用いられる、ファンが複数個配置された大型空調機においては、フィルターもファンごとに複数枚設けられ、そのフィルターの装脱着は、取付外枠とフィルター枠にそれぞれ数個の取付用の穴を設けて、それらをボルトなどでネジ止めする方法で行われている。その場合、取付のための特別な工具が必要であり、さらに取付外枠とフィルター枠の取付用の穴を合わせてネジ止めするフィルター交換作業は負担が大きかった。特に天吊型の空調機の場合には、高所に設置されているので交換作業の負担が特に大きく、危険を伴うこともあった。
【０００４】
換気扇を含む空調機のフィルター交換作業の負担を軽減するために、従来多くの提案がなされている。例えば、フィルターの交換作業の容易化などを目的として可撓性を有するシート状のフィルターを着脱自在な面ファスナテープなどで取り付けるフィルター装着具が提案されている。この技術は家庭用の換気扇用のフィルターを対象としたものであり、使用するフィルターも特殊なタイプであることから、工場の大型空調設備などで使用するには適さないと考えられる。
【０００５】
また、家庭用の換気扇のフィルターとして、特定のフィルターユニットを作製し、そのユニットごと交換することで作業負荷の軽減をおこなっている例も多い（例えば、特許文献１参照）。このような方法は、特定のフィルターユニットを新たに作製して継続的に交換用のユニットを用意しておく必要があるほか、空調機の方にもユニットを取り付けるための加工が必要となるので、コスト的に負担が大きく、空調設備として工場での使用は難しい。
【０００６】
空調設備における被処理流体の流入口又は排出口に設置した取付外枠内にフィルターを固定する構造としては、フィルターユニットを特定の形状の金具で取付外枠に固定する構造が提案されている（特許文献２参照）。この提案は、工場で使用するフィルターの交換を想定しているものの、固定するフィルターユニットの数は一つであり、二つ以上のフィルターを固定することはできない。
【先行技術文献】
【特許文献】
【０００７】
【特許文献１】特開２０１０−１９６９４１号公報
【特許文献２】特開２００２−５８９３３号公報
【発明の概要】
【発明が解決しようとする課題】
【０００８】
本発明の課題は、空調設備、特に天吊型ユニットクーラー等の空調設備の空気排出口に設置する複数枚のフィルターを固定する固定構造において、フィルター交換の際に、特別な工具を必要とせず、簡単に取り換えられる上に、しっかりと確実にフィルターが固定できるほか、洗浄が簡単で衛生的なフィルター固定構造を提供することにある。
【課題を解決するための手段】
【０００９】
本発明者は、既存で使用しているフィルターをそのまま継続して使用することを前提に、鋭意検討を進めることで、特定の固定構造とすることで、前記課題が解決できることを見いだし、本発明を完成するに至った。
【００１０】
すなわち、本発明は、以下の通りである。
[１]空調設備の空気排出口に設置した取付枠体内に複数枚のフィルターを横一列に固定するフィルター固定構造であって、前記取付枠体は、フィルターを嵌入する奥行を有する扁平矩形中空外枠部と、フィルターの背面周縁部を支持する扁平矩形中空内枠部からなり、前記外枠部の後面側左右両側には、最左側フィルターの左側端及び最右側フィルターの右側端を前記内枠部と協働して嵌合するための凹部がそれぞれ形成され、外枠部内の左右両側に固定されるフィルターを前記凹部内にそれぞれスライドさせることによりそれぞれ一端部で掛止し、前記内枠部にはフィルター同士の隣接部背面を支持する縦長格子板が等間隔で縦長に設けられ、フィルターに向かって通風する開口を形成し、前記外枠部の前上辺には、前記縦長格子板と協働してフィルター同士の隣接部前面を係止する可動押さえ板の上端がヒンジを介して連結され、該可動押さえ板の下部が前記外枠部の前下辺に脱着自在に係着されているか、あるいは、前記外枠部の前下辺には、前記縦長格子板と協働してフィルター同士の隣接部前面を係止する可動押さえ板の下端がヒンジを介して連結され、該可動押さえ板の上部が前記外枠部の前上辺に脱着自在に係着されていることを特徴とする、前記固定構造。
［２］天吊り型の空調設備であることを特徴とする上記［１］の固定構造。
［３］３〜６枚のフィルターを横一列に固定することを特徴とする上記［１］又は［２］の固定構造。
［４］パッチン錠により、可動押さえ板の下部が外枠部の前下辺に脱着自在に係着されている、あるいは、可動押さえ板の上部が外枠部の前上辺に脱着自在に係着されていることを特徴とする上記［１］〜［３］のいずれかの固定構造。
［５］上記［１］〜［４］のいずれかのフィルター固定構造を備え、扁平矩形箱状のフィルターハウジングを有する空調設備。
［６］扁平矩形箱状のフィルターハウジングが独立気泡断熱材を使用した断熱シートで覆われていることを特徴とする上記［５］の空調設備。
【発明の効果】
【００１１】
本発明のフィルターの固定構造を使用することで、空調設備、特に天吊り型の空調設備の空気排出口に横一列に設けられた複数枚のフィルターの交換が、特定の工具を用いずとも簡単に可能となり、かつ空気漏れすることなく確実に固定できるほか、洗浄が容易で、かつ結露が防止できる衛生的な空調設備を提供することができる。
【図面の簡単な説明】
【００１２】
【図１】本発明のフィルター固定構造において、フィルターを装着した正面図である。
【図２】本発明のフィルター固定構造において、フィルターを装着した図１のＸ−Ｘにおける横断面図である。
【図３】本発明のフィルター固定構造において、フィルターを装着した図２のＡ，Ｂ，Ｃにおける縦断面図である。
【図４】本発明のフィルター固定構造において、フィルターを装着する前の斜視図である。
【図５】フィルターの平面図である。
【発明を実施するための形態】
【００１３】
本発明のフィルター固定構造について以下説明するが、かかる説明において左右とは、図１及び図２における左右を意味し、前後とは図１における紙面手前、図２における下側、図３における左側を前、図１における紙面奥、図２における上側、図３における右側を後という。以下、図１〜４を参照して本発明のフィルター固定構造の実施態様を説明する。
【００１４】
本発明のフィルター固定構造は、空調設備の空気排出口に設置した取付枠体（１）内に複数枚（ｎ枚）、例えば３〜６（ｎ＝３〜６）枚のフィルター（６）を横一列に固定する構造である。上記取付枠体（１）は、空調設備における扁平矩形箱状のフィルターハウジング（７）の前面の空気排出口に通常配設されている。前記取付枠体（１）は、フィルター（６）を嵌入する奥行を有する扁平矩形中空外枠部（２）と、フィルター（６）背面の周縁部（６１）を支持する扁平矩形中空内枠部（３）から構成され、かかる扁平矩形中空の外枠部（２）と内枠部（３）は一体に成型された枠体であっても、それぞれ別個に作製された外枠体（２）と内枠体（３）とを適宜固着したものでもよい。
【００１５】
図１及び２においては、４台のファンＦに対応する４枚のフィルター（６）を横一列に固定するフィルター固定構造が示されている。ファンＦの前方に横一列にフィルター（６）を固定する本発明のフィルター固定構造は、スペースの有効利用の点で、天吊り型の空調設備として有用である。
【００１６】
フィルター（６）の形状は、正方形若しくは長方形、又は４角にＲが設けられた正方形若しくは長方形であり、少なくとも周縁部が硬質素材で作製されたフィルターが好ましい。また、洗浄・乾燥等のメンテナンスが容易であるという点で、金属製のフィルターが好ましい。
【００１７】
上記外枠部（外枠体）（２）の開口部に区切りはなく、一つの大きな扁平矩形中空となっており、左右両端部を除く扁平矩形中空内に前方よりフィルター（６）を嵌合することにより、フィルター（６）の下辺が外枠部（外枠体）中空底面（２１）に載置されるとともにフィルター背面周縁部（６１）が内枠部（内枠体）（３）に当接することによって支持される結果、フィルター（６）を仮固定状態とすることができる。上記中空底面（２１）の奥行き幅は、フィルター（６）の厚みより少し幅広に形成され、フィルター（６）の下辺が外枠部（外枠体）中空底面（２１）に載置できるようになっている。また、内枠部（内枠体）（３）は、フィルター背面上下周縁部（６１）がそれぞれ１〜５ｃｍ程度当接するように、外枠部（外枠体）（２）より小さく形成されており、当接面積が大きすぎるように内枠部（内枠体）（３）を形成するとフィルターの通気面積が狭くなり、当接面積が小さすぎるように内枠部（内枠体）（３）を形成すると仮固定状態としたフィルター（６）が不安定となる。
【００１８】
前記外枠部（２）の後面側左右両側には、前記内枠部（３）と協働して左右両側の縦長ポケット（２２，２３）とするための凹部がそれぞれ形成されている。かかる縦長ポケット（２２，２３）の奥行き幅は適宜設定することができるが、大きすぎるとフィルターの通気面積が狭くなるとともに清掃作業もしにくくなり、逆に小さすぎるとフィルターを掛止する作用が弱くなるので、通常１〜５ｃｍ程度の奥行き幅とすることが好ましい。
【００１９】
そして、外枠部内の左側附近に前方から嵌合したフィルター（６）を、外枠部中空底面（２１）上を左にスライドさせてフィルターの左側端を前記左側縦長ポケット（２２）に挿入して最左側フィルター（最も左側に位置するフィルター；６Ｌ）を仮掛止状態とし、外枠部内の右側附近に前方から嵌合したフィルター（６）を、外枠部中空底面（２１）上を右にスライドさせてフィルターの右側端を前記右側縦長ポケット（２３）に挿入して最右側フィルター（最も右側に位置するフィルター；６Ｒ）を仮掛止状態とすることができる。
【００２０】
前記内枠部（３）にはフィルター同士の隣接部背面を支持するｎ−１枚の縦長格子板（３１）が等間隔でそれぞれ縦長に設けられ、フィルター（６）に向かって後方から通風するためのｎ個の開口（３２）を形成している。上記最左側フィルター（６Ｌ）の背面右側端、及び最右側フィルター（６Ｒ）の背面左側端は、それぞれ対応する縦長格子板（３１Ｌ）及び縦長格子板（３１Ｒ）によって支持され、また、最左側フィルター（６Ｌ）及び最右側フィルター（６Ｒ）以外のフィルター（６）も、外枠部内に前方から順次嵌合され、その左右背面両端部がそれぞれ縦長格子板（３１）によって支持され、すべてｎ枚のフィルター（６）を仮固定状態とすることができる。縦長格子板（３１）の横幅は、フィルター同士の隣接部背面を支持することができればよく、通常１〜５ｃｍとすることができる。横幅が大きすぎるとフィルターの通気面積が狭くなり、横幅が小さすぎると仮固定状態としたフィルター（６）が不安定となる。
【００２１】
前記外枠部（２）の前上辺（２４）には、前記縦長格子板（３１）と協働してフィルター同士の隣接部を前方から係止するｎ−１枚の可動押さえ板（４）の上端がヒンジ（４１）を介して連結されており、可動押さえ板（４）は外枠部（２）の前上辺（２４）のヒンジ（４１）により回動自在に固定されている。また、かかる可動押さえ板（４）の下部と外枠部の前下辺（２５）とは、協働して可動押さえ板（４）の下部を外枠部の前下辺（２５）に脱着自在に係着するための係着機構（５）を有している。可動押さえ板（４）の横幅は、フィルター同士の隣接部前面を係止することができればよく、通常１〜４ｃｍとすることができる。横幅が大きすぎるとフィルター（６）の通気面積が狭くなり、横幅が小さすぎると固定状態としたフィルター（６）が不安定となるばかりか、フィルター（６）同士の隣接部分から空気が漏洩することになる。
【００２２】
すべてｎ枚のフィルター（６）を前記のように仮固定状態とした後、可動押さえ板（４）を、上記ヒンジ（４１）を介して下方に回動させ、フィルター同士の隣接部を前方から係着機構（５）により係着することにより、すべてｎ枚のフィルター（６）を固定状態とすることができる。次に、可動押さえ板（４）の外枠部の前下辺（２５）への係着を解除した状態で、可動押さえ板（４）を上記ヒンジ（４１）を介して上方に回動させ、すべてｎ枚のフィルター（６）を仮固定状態とし、最左側フィルター（６Ｌ）及び最右側フィルター（６Ｒ）以外のフィルター（６）を手前に倒して順次取り外し、最左側フィルター（６Ｌ）は外枠部中空底面（２１）上を右にスライドさせてフィルター（６Ｌ）の左側端を左側縦長ポケット（２２）から解放し、最右側フィルター（６Ｒ）は外枠部中空底面（２１）上を左にスライドさせてフィルター（６Ｒ）の右側端を右側縦長ポケット（２３）から解放した後、手前に倒すことにより取り外すことができる。
【００２３】
上記の実施形態では、外枠部の前上辺にヒンジを介して可動押さえ板が連結されており、可動押さえ板の下部が外枠部の前下辺に脱着自在に係着されている構造が例示されているが、外枠部の前下辺にヒンジを介して可動押さえ板が連結されており、可動押さえ板の上部が外枠部の前上辺に脱着自在に係着されている構造をも好適に例示することができる。
【００２４】
上記係着機構（５）としては通常よく知られたものが使用され、係止ピン挿入孔と係止ピンとの組合わせや、磁石どうしの組合わせ、パッチン錠、ホック、マジックバンド、フックとループの組合せ等を例示することができるが、簡易な操作でしっかり固定できるという点からパッチン錠を使用することが好ましい。
【００２５】
上記取付枠体（１）や可動押さえ板（４）は、強度や加工容易性の点で通常金属製とすることが好ましい。また、空調設備の結露対策として、前記フィルターハウジング（７）をすべて断熱性シートで覆うことが好ましい。かかる断熱性シートとしては独立気泡断熱材を使用したシートを好適に例示することができる。
【産業上の利用可能性】
【００２６】
本発明のフィルターの固定構造は、空調設備、特に天吊り型の空調設備におけるフィルター交換の際に、特別な工具を必要とせず、簡単に取り換えられる上に、しっかりと確実にフィルターが固定できることから、エアコン・冷凍機等の機械分野で有用である。
【符号の説明】
【００２７】
１  空調設備の空気排出口に設置した取付枠体
２  扁平矩形中空外枠部（外枠体）
２１  外枠部（外枠体）中空底面
２２  外枠部（外枠体）左側の縦長ポケット
２３  外枠部（外枠体）右側の縦長ポケット
２４  外枠部（外枠体）の前上辺
２５  外枠部（外枠体）の前下辺
３  扁平矩形中空内枠部（内枠体）
３１  内枠部（内枠体）の縦長格子板
３１Ｌ  最左側縦長格子板
３１Ｒ  最右側縦長格子板
３２  開口
４  可動押さえ板
４１  ヒンジ（蝶番）
５  係着機構（パッチン錠）
６  フィルター
６１  フィルター周縁部
６Ｌ  最左側フィルター
６Ｒ  最右側フィルター
７  扁平矩形箱状のフィルターハウジング
Ｆ  空調機のファン
【図１】
0006529163.tif 000002
【図２】
0006529163.tif 000003
【図３】
0006529163.tif 000004
【図４】
0006529163.tif 000005
【図５】
0006529163.tif 000006